(57)【要約】【課題】本発明はロック装置を持つパッケージを開示した。【解決手段】本体を含み、前記本体の中には収納チャンバが設置され、前記収納チャンバの両側には上方に開口した昇降溝が対称的に設置され、前記昇降溝の片側には昇降スライド溝が連通し設置され、前記スライド溝の中にはロックブロックがスライドできるように設置され、前記スライド溝の下側には伝動装置が設置され、前記伝動装置と前記ロックブロックとが噛合し接続され、本発明は構造が簡単で、操作が便利であり、密封板を押すことにより昇降ボックスの置きチャンバと本体の収納チャンバを順次に閉められ、押しブロックをプッシュし、昇降ボックスが上昇し水平に移動し収納チャンバを開け、該パッケージは開閉が同期であり、ものを便利に取ることができる。【選択図】図１
2020159174.tif 000002
【特許請求の範囲】
【請求項１】
本体を含み、前記本体の中には収納チャンバが設置され、前記収納チャンバの両側には上方に開口した昇降溝が対称的に設置され、前記昇降溝の中には支持バーがスライドできるように設置され、前記昇降溝の左側には回転装置が設置され、前記回転装置と前記支持バーとが当接し、前記支持バーの下端には昇降ブロックが回転できるように設置され、前記昇降溝の片側には昇降スライド溝が連通し設置され、前記昇降ブロックの一端には前記昇降スライド溝とスライドできるように接続される昇降スライドブロックが固定的に設置され、前記昇降ブロックにはロック溝が固定的に設置され、前記昇降ブロックと前記昇降溝との間には伸縮ばねが固定的に設置され、前記昇降溝の片側にはスライド溝が連通し設置され、前記スライド溝の中にはロックブロックがスライドできるように設置され、前記スライド溝の下側には伝動装置が設置され、前記伝動装置と前記ロックブロックとが噛合し接続され、左側の前記スライド溝の上側には接続溝が連通し設置され、前記接続溝の中には前記ロックブロックと噛合する接続歯車が回転できるように設置され、前記接続溝と外部空間との間には押し溝が連通し設置され、前記押し溝の中には前記接続歯車と噛合する押しブロックがスライドできるように設置され、前記押しブロックと前記押し溝との間には押しばねが固定的に設置され、前記本体の上側には昇降ボックスが設置され、前記昇降ボックスの中には下方に開口した二つの回転溝が設置され、前記支持バーの上端と前記回転溝とが回転できるように接続され、前記昇降ボックスの中には置きチャンバが設置され、前記置きチャンバの右側と外部空間との間には密封回転溝が連通し設置され、前記密封回転溝の中には前記置きチャンバを密封する密封板が回転できるように設置され、前記密封板と前記密封回転溝との間にはトーションばねが固定的に設置され、前記密封板には引掛り溝が固定的に設置され、前記置きチャンバの左側にはロック装置が設置され、前記ロック装置と前記引掛り溝とがロックにより接続される；前記押しブロックを押し、前記昇降ボックスが上昇し前記収納チャンバを開け、また前記密封板はロックが解除され前記置きチャンバを開けることを特徴とするロック装置を持つパッケージ。
【請求項２】
前記回転装置は前記昇降溝と連通する噛合溝を含み、前記噛合溝の中には前記支持バーと噛合する噛合歯車が回転できるように設置され、前記噛合溝の上側には連動溝が連通し設置され、前記連動溝の中には連動歯車が回転できるように設置され、前記連動歯車と前記噛合歯車との間が連動ベルトにより動力が伝達できるように接続され、前記連動溝と前記昇降溝との間にはプッシュチャンバが連通し設置され、前記プッシュチャンバの中には前記連動歯車と噛合するプッシュブロックがスライドできるように設置され、前記プッシュブロックの右側には当接ブロックが設置され、前記当接ブロックの中には前記プッシュブロックとスライドできるように接続されるプッシュ溝が設置され、前記プッシュブロックと前記プッシュ溝との間には接続ばねが固定的に設置され、前記プッシュチャンバの上側にはガイドスライド溝が連通し設置され、前記プッシュブロックの上端面にはガイドスライドブロックが固定的に設置される；前記支持バーが上昇し前記接続ばねのため力を蓄積し、前記当接ブロックが右に前記支持バーをプッシュし傾かせることを特徴とする請求項１に記載のロック装置を持つパッケージ。
【請求項３】
前記伝動装置は前記スライド溝と連通する左右対称的な伝動溝を含み、前記伝動溝の中には前記ロックブロックと噛合する伝動歯車が回転できるように設置され、前記伝動歯車の前端面には第一傘歯車が固定的に設置され、前記伝動溝の中には歯車軸により前記第一傘歯車と噛合する第二傘歯車が回転できるように設置され、前記伝動溝のうち前記収納チャンバから離れている側にはベルト溝が連通し設置され、前記ベルト溝の中にはプーリが上下に対称的に設置され、前記歯車軸と上側の前記プーリとが固定的に接続され、前記プーリの間が伝動ベルトにより動力が伝達できるように接続され、前記ベルト溝の間が連通し、下側の前記プーリの間が接続軸により固定的に接続される；左右両側の前記ロックブロックが同期に逆方向に移動し、前記昇降ブロックをロックまたはロック解除することを特徴とする請求項１に記載のロック装置を持つパッケージ。
【請求項４】
前記ロック装置は下方に開口した押出溝を含み、前記押出溝の中には押しバーがスライドできるように設置され、前記押しバーの右端面にはリセット部品が固定的に設置され、前記押出溝の上側には右方に開口したスライドバー溝が設置され、前記スライドバー溝と前記押出溝との間には接続チャンバが連通し設置され、前記スライドバー溝の中には前記引掛り溝とロックし接続されるロックバーがスライドできるように設置され、前記ロックバーと前記押しバーとの間には接続バーが回転できるように設置され、前記ロックバーと前記スライドバー溝との間には戻しばねが固定的に設置される；前記押しバーが下がり前記ロックバーを移動させ前記密封板にロックを解除させることを特徴とする請求項１に記載のロック装置を持つパッケージ。
【発明の詳細な説明】
【技術分野】
【０００１】
本発明は生活用品技術分野を取り上げて、具体的にはロック装置を持つパッケージである。
【背景技術】
【０００２】
既存の収納用パッケージは、構成が複雑であり、二層の収納チャンバを開閉するとき、手動で複数回の操作が必要であり、使用に不便であり、また二層の間にはロック係合装置が設置されていなく、パッケージの安全性が良くない。
従って、既存技術のパッケージを更に改善する必要があり、これにより収納パッケージの使用利便性を高める。
【先行技術文献】
【特許文献】
【０００３】
【特許文献１】中国特許出願公開第１０９０１８５９４号明細書
【発明の概要】
【発明が解決しようとする課題】
【０００４】
本発明の目的はロック装置を持つパッケージを提供し、それは上記の現在の技術中の問題を解決できる。
【課題を解決するための手段】
【０００５】
本発明のロック装置を持つパッケージは、本体を含み、前記本体の中には収納チャンバが設置され、前記収納チャンバの両側には上方に開口した昇降溝が対称的に設置され、前記昇降溝の中には支持バーがスライドできるように設置され、前記昇降溝の左側には回転装置が設置され、前記回転装置と前記支持バーとが当接し、前記支持バーの下端には昇降ブロックが回転できるように設置され、前記昇降溝の片側には昇降スライド溝が連通し設置され、前記昇降ブロックの一端には前記昇降スライド溝とスライドできるように接続される昇降スライドブロックが固定的に設置され、前記昇降ブロックにはロック溝が固定的に設置され、前記昇降ブロックと前記昇降溝との間には伸縮ばねが固定的に設置され、前記昇降溝の片側にはスライド溝が連通し設置され、前記スライド溝の中にはロックブロックがスライドできるように設置され、前記スライド溝の下側には伝動装置が設置され、前記伝動装置と前記ロックブロックとが噛合し接続され、左側の前記スライド溝の上側には接続溝が連通し設置され、前記接続溝の中には前記ロックブロックと噛合する接続歯車が回転できるように設置され、前記接続溝と外部空間との間には押し溝が連通し設置され、前記押し溝の中には前記接続歯車と噛合する押しブロックがスライドできるように設置され、前記押しブロックと前記押し溝との間には押しばねが固定的に設置され、前記本体の上側には昇降ボックスが設置され、前記昇降ボックスの中には下方に開口した二つの回転溝が設置され、前記支持バーの上端と前記回転溝とが回転できるように接続され、前記昇降ボックスの中には置きチャンバが設置され、前記置きチャンバの右側と外部空間との間には密封回転溝が連通し設置され、前記密封回転溝の中には前記置きチャンバを密封する密封板が回転できるように設置され、前記密封板と前記密封回転溝との間にはトーションばねが固定的に設置され、前記密封板には引掛り溝が固定的に設置され、前記置きチャンバの左側にはロック装置が設置され、前記ロック装置と前記引掛り溝とがロックにより接続される；前記押しブロックを押し、前記昇降ボックスが上昇し前記収納チャンバを開け、また前記密封板はロックが解除され前記置きチャンバを開ける。
【０００６】
更の技術プラン、前記回転装置は前記昇降溝と連通する噛合溝を含み、前記噛合溝の中には前記支持バーと噛合する噛合歯車が回転できるように設置され、前記噛合溝の上側には連動溝が連通し設置され、前記連動溝の中には連動歯車が回転できるように設置され、前記連動歯車と前記噛合歯車との間が連動ベルトにより動力が伝達できるように接続され、前記連動溝と前記昇降溝との間にはプッシュチャンバが連通し設置され、前記プッシュチャンバの中には前記連動歯車と噛合するプッシュブロックがスライドできるように設置され、前記プッシュブロックの右側には当接ブロックが設置され、前記当接ブロックの中には前記プッシュブロックとスライドできるように接続されるプッシュ溝が設置され、前記プッシュブロックと前記プッシュ溝との間には接続ばねが固定的に設置され、前記プッシュチャンバの上側にはガイドスライド溝が連通し設置され、前記プッシュブロックの上端面にはガイドスライドブロックが固定的に設置される；前記支持バーが上昇し前記接続ばねのため力を蓄積し、前記当接ブロックが右に前記支持バーをプッシュし傾かせる。
【０００７】
更の技術プラン、前記伝動装置は前記スライド溝と連通する左右対称的な伝動溝を含み、前記伝動溝の中には前記ロックブロックと噛合する伝動歯車が回転できるように設置され、前記伝動歯車の前端面には第一傘歯車が固定的に設置され、前記伝動溝の中には歯車軸により前記第一傘歯車と噛合する第二傘歯車が回転できるように設置され、前記伝動溝のうち前記収納チャンバから離れている側にはベルト溝が連通し設置され、前記ベルト溝の中にはプーリが上下に対称的に設置され、前記歯車軸と上側の前記プーリとが固定的に接続され、前記プーリの間が伝動ベルトにより動力が伝達できるように接続され、前記ベルト溝の間が連通し、下側の前記プーリの間が接続軸により固定的に接続される；左右両側の前記ロックブロックが同期に逆方向に移動し、前記昇降ブロックをロックまたはロック解除する。
【０００８】
更の技術プラン、前記ロック装置は下方に開口した押出溝を含み、前記押出溝の中には押しバーがスライドできるように設置され、前記押しバーの右端面にはリセット部品が固定的に設置され、前記押出溝の上側には右方に開口したスライドバー溝が設置され、前記スライドバー溝と前記押出溝との間には接続チャンバが連通し設置され、前記スライドバー溝の中には前記引掛り溝とロックし接続されるロックバーがスライドできるように設置され、前記ロックバーと前記押しバーとの間には接続バーが回転できるように設置され、前記ロックバーと前記スライドバー溝との間には戻しばねが固定的に設置される；前記押しバーが下がり前記ロックバーを移動させ前記密封板にロックを解除させる。
【発明の効果】
【０００９】
本発明の有益的な効果は：本発明は構造が簡単で、操作が便利であり、密封板を押すことにより昇降ボックスの置きチャンバと本体の収納チャンバを順次に閉められ、押しブロックをプッシュし、昇降ボックスが上昇し水平に移動し収納チャンバを開け、その同時に密封板が置きチャンバを開け、該パッケージは開閉が同期であり、一つのスイッチで開閉でき、その中に置かれるものを便利に取ることができる。
【図面の簡単な説明】
【００１０】
【図１】図１は本発明のロック装置を持つパッケージの内部全体構成略図である；
【図２】図２は本発明の図１のＡの拡大構成略図である；
【図３】図３は本発明の図１のＢの拡大構成略図である。
【発明を実施するための形態】
【００１１】
下記に図１−３をあわせて本発明について詳しく説明し、便利に説明するために、下記の方向を以下のように規定する：以下に述べる上下左右前後の方向と図１の自身投影関係の上下左右前後の方向とが一致である。
【００１２】
図１−３に示すように、本発明のロック装置を持つパッケージは、本体１０を含み、前記本体１０の中には収納チャンバ１１が設置され、前記収納チャンバ１１の両側には上方に開口した昇降溝１２が対称的に設置され、前記昇降溝１２の中には支持バー１３がスライドできるように設置され、前記昇降溝１２の左側には回転装置１００が設置され、前記回転装置１００と前記支持バー１３とが当接し、前記支持バー１３の下端には昇降ブロック１４が回転できるように設置され、前記昇降溝１２の片側には昇降スライド溝６１が連通し設置され、前記昇降ブロック１４の一端には前記昇降スライド溝６１とスライドできるように接続される昇降スライドブロック１５が固定的に設置され、前記昇降ブロック１４にはロック溝１６が固定的に設置され、前記昇降ブロック１４と前記昇降溝１２との間には伸縮ばね１７が固定的に設置され、前記昇降溝１２の片側にはスライド溝１８が連通し設置され、前記スライド溝１８の中にはロックブロック１９がスライドできるように設置され、前記スライド溝１８の下側には伝動装置２００が設置され、前記伝動装置２００と前記ロックブロック１９とが噛合し接続され、左側の前記スライド溝１８の上側には接続溝３１が連通し設置され、前記接続溝３１の中には前記ロックブロック１９と噛合する接続歯車３２が回転できるように設置され、前記接続溝３１と外部空間との間には押し溝３０が連通し設置され、前記押し溝３０の中には前記接続歯車３２と噛合する押しブロック３３がスライドできるように設置され、前記押しブロック３３と前記押し溝３０との間には押しばね３４が固定的に設置され、前記本体１０の上側には昇降ボックス４６が設置され、前記昇降ボックス４６の中には下方に開口した二つの回転溝４７が設置され、前記支持バー１３の上端と前記回転溝４７とが回転できるように接続され、前記昇降ボックス４６の中には置きチャンバ５６が設置され、前記置きチャンバ５６の右側と外部空間との間には密封回転溝５７が連通し設置され、前記密封回転溝５７の中には前記置きチャンバ５６を密封する密封板５９が回転できるように設置され、前記密封板５９と前記密封回転溝５７との間にはトーションばね５８が固定的に設置され、前記密封板５９には引掛り溝６０が固定的に設置され、前記置きチャンバ５６の左側にはロック装置３００が設置され、前記ロック装置３００と前記引掛り溝６０とがロックにより接続される；前記押しブロック３３を押し、前記昇降ボックス４６が上昇し前記収納チャンバ１１を開け、また前記密封板５９はロックが解除され前記置きチャンバ５６を開ける。
【００１３】
有益なまた例を示すように、前記回転装置１００は前記昇降溝１２と連通する噛合溝３５を含み、前記噛合溝３５の中には前記支持バー１３と噛合する噛合歯車３６が回転できるように設置され、前記噛合溝３５の上側には連動溝３７が連通し設置され、前記連動溝３７の中には連動歯車３８が回転できるように設置され、前記連動歯車３８と前記噛合歯車３６との間が連動ベルト３９により動力が伝達できるように接続され、前記連動溝３７と前記昇降溝１２との間にはプッシュチャンバ４０が連通し設置され、前記プッシュチャンバ４０の中には前記連動歯車３８と噛合するプッシュブロック４１がスライドできるように設置され、前記プッシュブロック４１の右側には当接ブロック４３が設置され、前記当接ブロック４３の中には前記プッシュブロック４１とスライドできるように接続されるプッシュ溝４４が設置され、前記プッシュブロック４１と前記プッシュ溝４４との間には接続ばね４５が固定的に設置され、前記プッシュチャンバ４０の上側にはガイドスライド溝６２が連通し設置され、前記プッシュブロック４１の上端面にはガイドスライドブロック４２が固定的に設置される；前記支持バー１３が上昇し前記接続ばね４５のため力を蓄積し、前記当接ブロック４３が右に前記支持バー１３をプッシュし傾かせる。
【００１４】
有益なまた例を示すように、前記伝動装置２００は前記スライド溝１８と連通する左右対称的な伝動溝２０を含み、前記伝動溝２０の中には前記ロックブロック１９と噛合する伝動歯車２１が回転できるように設置され、前記伝動歯車２１の前端面には第一傘歯車２２が固定的に設置され、前記伝動溝２０の中には歯車軸２４により前記第一傘歯車２２と噛合する第二傘歯車２３が回転できるように設置され、前記伝動溝２０のうち前記収納チャンバ１１から離れている側にはベルト溝２６が連通し設置され、前記ベルト溝２６の中にはプーリ２５が上下に対称的に設置され、前記歯車軸２４と上側の前記プーリ２５とが固定的に接続され、前記プーリ２５の間が伝動ベルト２７により動力が伝達できるように接続され、前記ベルト溝２６の間が連通し、下側の前記プーリ２５の間が接続軸２９により固定的に接続される；左右両側の前記ロックブロック１９が同期に逆方向に移動し、前記昇降ブロック１４をロックまたはロック解除する。
【００１５】
有益なまた例を示すように、前記ロック装置３００は下方に開口した押出溝４８を含み、前記押出溝４８の中には押しバー４９がスライドできるように設置され、前記押しバー４９の右端面にはリセット部品５０が固定的に設置され、前記押出溝４８の上側には右方に開口したスライドバー溝５３が設置され、前記スライドバー溝５３と前記押出溝４８との間には接続チャンバ５１が連通し設置され、前記スライドバー溝５３の中には前記引掛り溝６０とロックし接続されるロックバー５４がスライドできるように設置され、前記ロックバー５４と前記押しバー４９との間には接続バー５２が回転できるように設置され、前記ロックバー５４と前記スライドバー溝５３との間には戻しばね５５が固定的に設置される；前記押しバー４９が下がり前記ロックバー５４を移動させ前記密封板５９にロックを解除させる。
【００１６】
初期状態に、ロックブロック１９とロック溝１６とがロックされ、伸縮ばね１７が圧縮状態にあり、昇降ボックス４６と本体１０とが当接し、リセット部品５０が圧縮状態にあり、ロックバー５４と引掛り溝６０とがロックされ、トーションばね５８が圧縮状態にある。
【００１７】
装置を始動するとき、押しブロック３３を押し、これにより接続歯車３２が回転し、左側のロックブロック１９を左に移動させ、接続軸２９により右側のロックブロック１９を右に移動させ、これにより昇降ブロック１４はロックが解除され、昇降ブロック１４が伸縮ばね１７の作用のもとで上昇し、噛合歯車３６を回転させ、連動歯車３８が回転し、これによりプッシュブロック４１が右に移動し接続ばね４５に力を蓄積させ、昇降ブロック１４が昇降溝１２の上側の限界位置まで上昇するとき、当接ブロック４３が接続ばね４５の作用のもとで右に移動し、支持バー１３をプッシュし時計回りに回転させ、昇降ボックス４６が水平に右に移動し収納チャンバ１１を開け、昇降ボックス４６が上昇する過程で、押しバー４９がリセット部品５０の作用のもとで下がり、接続バー５２によりロックバー５４を左に移動させ、これにより密封板５９はロックが解除され、かつ時計回りに回転し置きチャンバ５６を開け、このときパッケージが完全に開け、パッケージを閉めるとき、密封板５９を下に押し置きチャンバ５６を閉め、昇降ボックス４６が密封板５９に伴って下がり、支持バー１３が昇降溝１２に沿って垂直に下がり、これにより昇降ブロック１４とロックブロック１９とがロックにより接続され、昇降ボックス４６が収納チャンバ１１を閉め、昇降ボックス４６が下がる過程で、押しバー４９が圧力を受けて上昇し、ロックバー５４を右に移動させ引掛り溝６０と引掛り接続させ、密封板５９をロックさせ、このときパッケージが完全に閉める。
【００１８】
本発明の有益的な効果は：本発明は構造が簡単で、操作が便利であり、密封板を押すことにより昇降ボックスの置きチャンバと本体の収納チャンバを順次に閉められ、押しブロックをプッシュし、昇降ボックスが上昇し水平に移動し収納チャンバを開け、その同時に密封板が置きチャンバを開け、該パッケージは開閉が同期であり、一つのスイッチで開閉でき、その中に置かれるものを便利に取ることができる。
【００１９】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【図１】
2020159174.tif 000003
【図２】
2020159174.tif 000004
【図３】
2020159174.tif 000005